(57)【要約】【課題】  各データ電流供給用ＩＣに入力する基準電位の電位変動を簡単な構成で抑制することができる電気光学装置及びその電気光学装置を備えた電子機器を提供する。【解決手段】  第１〜第４データ電流供給用ＩＣ７a〜７dから出力されるデータ電流の基準値を与える接地電位Ｅgを入力する第２外部入力端子Ｐ2を各第１〜第４ＦＰＣ基板３a〜３d上に形成された第２半田実装用ランド６bに、また、第３外部入力端子Ｐ3を第３半田実装用ランド６cにそれぞれ第２配線Ｓｂを介して接続した。そして、各第１〜第３ＦＰＣ基板３a〜３ｃ上に形成された第３半田実装用ランド６cを、隣接するＦＰＣ基板上の第２半田実装用ランド６ｂとリード線９を介して電気的に接続した。さらに、第１ＦＰＣ基板３a上に形成された第２半田実装用ランド６ｂ及び第４ＦＰＣ基板３d上に形成された第３半田実装用ランド６cには、接地電位Ｅgを入力するようにした。【選択図】  図１
2006084503.tif 000002
【特許請求の範囲】
【請求項１】
１または複数の走査線と、複数のデータ線と、前記各走査線と前記各データ線との交差部に対応してそれぞれ配設された電気光学素子と、１本の前記データ線を介して対応する前記電気光学素子にデータ電流を供給するデータ電流供給回路を複数個有したデータ電流供給用ＩＣと、を備えた電気光学装置において、
前記データ電流供給用ＩＣは、複数個設けられ、
前記各データ電流供給用ＩＣは、各データ電流供給回路に前記データ電流の基準値を与える基準電圧を入力する入力端子を備え、
前記データ電流供給用ＩＣの入力端子は他のデータ電流供給用ＩＣの入力端子に電気的に接続されていることを特徴とする電気光学装置。
【請求項２】
請求項１に記載の電気光学装置において、
前記複数のデータ電流供給用ＩＣは、それぞれが異なったフレキシブルプリント回路基板上に実装されていることを特徴とする電気光学装置。
【請求項３】
請求項１又は２に記載の電気光学装置において、
前記フレキシブルプリント回路基板は、複数の配線端子を備え、
前記各入力端子は、前記配線端子に接続され、
前記データ電流供給用ＩＣの入力端子に接続された前記配線端子と、他の前記データ電流供給用ＩＣの入力端子に接続された前記配線端子とは、リード線によって電気的に接続されていることを特徴とする電気光学装置。
【請求項４】
請求項１又は２に記載の電気光学装置において、
前記フレキシブルプリント回路基板上には、複数のコネクタを備え、
前記各入力端子は、前記コネクタに接続され、
前記データ電流供給用ＩＣの入力端子に接続されたコネクタと、他の前記データ電流供給用ＩＣの入力端子に接続されたコネクタとは、フレキシブルフラットケーブルによって電気的に接続されていることを特徴とする電気光学装置。
【請求項５】
請求項１又は２に記載の電気光学装置において、
前記フレキシブルプリント回路基板上には、複数のコネクタを備え、
前記各入力端子は、前記コネクタに接続され、
前記データ電流供給用ＩＣの入力端子に接続されたコネクタと、他の前記データ電流供給用ＩＣの入力端子に接続されたコネクタとは、前記コネクタに接続される接続端子を備えた中継基板を介して互いに電気的に接続されていることを特徴とする電気光学装置。
【請求項６】
請求項１〜５のいずれか１つに記載の電気光学装置において、
前記データ電流供給回路は、複数のトランジスタを備えたデジタル・アナログ変換回路であり、
前記データ電流は、前記各トランジスタから出力される電流が重畳されることによって生成され、
前記入力端子は、前記各トランジスタのゲート端子に入力され前記各トランジスタから出力される電流値の基準値を与える基準電圧を入力するための基準電圧入力端子であることを特徴とする電気光学装置。
【請求項７】
請求項１〜５のいずれか１つに記載の電気光学装置において、
前記データ電流供給回路は、複数のトランジスタを備えたデジタル・アナログ変換回路であり、
前記データ電流は、前記各トランジスタから出力される電流が重畳されることで生成さ
れ、
前記入力端子は、前記各トランジスタの接地電圧を入力するための接地電圧入力端子であることを特徴とする電気光学装置。
【請求項８】
請求項１〜７のいずれか１つに記載の電気光学装置において、
前記電気光学素子はエレクトロルミネッセンス素子であることを特徴とする電気光学装置。
【請求項９】
請求項８に記載の電気光学装置において、
前記エレクトロルミネッセンス素子は、発光層が有機材料で構成されていることを特徴とする電気光学装置。
【請求項１０】
請求項１〜９のいずれか１つに記載の電気光学装置を実装してなることを特徴とする電子機器。
【発明の詳細な説明】
【技術分野】
【０００１】
本発明は、電気光学装置及び電子機器に関するものである。
【背景技術】
【０００２】
従来より、軽量化、薄型化の観点から、液晶ディスプレイや有機ＥＬディスプレイといったフラットパネルディスプレイが注目されている。この種のフラットパネルディスプレイにおいては、たとえば、ポリイミドといった絶縁材料で構成されたフレキシブルプリント回路基板（ＦＰＣ）上にデータ電流供給用ＩＣを実装し、走査信号のタイミングで各画素へデータ電流を出力するようにしている。
【０００３】
ところで、最近、大型のフラットパネルディスプレイの開発が盛んに行われている。大型のフラットパネルディスプレイでは、ディスプレイサイズに対応した大規模な１個のデータ電流供給用ＩＣを形成することが困難であるため、複数のデータ電流供給用ＩＣを実装し、各データ電流供給用ＩＣを同期制御するようにしている。
【０００４】
大型の有機ＥＬディスプレイの場合、電流により素子を発光させるため、複数あるデータ電流供給用ＩＣによって各々電圧/電流変換を行い、電流をディスプレイに供給するが
、データ電流供給用ＩＣでは接地電位等の基準電圧を元にデータ電流または基準電流を生成しているため、接地電位等の基準電圧が変化すると出力するデータ電流が変化してしまう。特に、データ電流供給用ＩＣごとにデータ電流が異なると、ディスプレイの見た目に大きく影響してしまう。
【０００５】
一方で、データ電流供給用ＩＣはフレキシブルプリント回路基板（ＦＰＣ）上やパネル基板上に実装されており、接地電位等の基準電圧は個別の配線を経由してデータ電流供給用ＩＣへ入力されている。フレキシブルプリント回路基板（ＦＰＣ）上の配線やパネル基板上の配線は一般に高抵抗となってしまうが、データ電流供給用ＩＣではデータ電流や基準電流等を消費するので、その電流値によって配線で消費する電力がデータ電流供給用ＩＣ毎に異なってしまい、その結果、接地電位等の基準電圧は大きく変動してしまう。例えば、データ電流値や基準電流値が大きい場合、フレキシブルプリント回路基板（ＦＰＣ）やパネル基板上の配線での電力消費が大きく、データ電流供給用ＩＣの接地電位等の基準電圧が変動してしまう。つまり、消費するデータ電流や基準電流の総和がデータ電流供給用ＩＣごとに異なると、接地電位がデータ電流供給用ＩＣごとに変動し、それに応じて出力するデータ電流もデータ電流供給用ＩＣごとに格差が生じてしまい、均一な表示をすることが困難であった。
【０００６】
そこで、配線抵抗を落とす目的で各データ電流供給用ＩＣと表示パネル基板とを複数の配線で接続し、データ電流供給用ＩＣの電圧変動を抑制するようにしたものが提案されている。（例えば、特許文献１）。
【特許文献１】特開平１１−３１１８０４号公報
【発明の開示】
【発明が解決しようとする課題】
【０００７】
しかしながら、上記特許文献１では、パネル基板上に十分な太さの配線をすることは、面積や実装の制約から困難で、複数あるデータ電流供給用ＩＣに入力する接地電位等の基準電圧の変動を完全に抑制するには不十分である。そのため、データ電流がデータ電流供給用ＩＣごとに変動してしまい、均一な表示ができない。
【０００８】
本発明の目的は、複数のデータ電流供給用ＩＣを実装してなる電気光学装置において、各データ電流供給用ＩＣに入力する基準電位の電位変動を簡単な構成で抑制することができる電気光学装置及びその電気光学装置を備えた電子機器を提供することである。
【課題を解決するための手段】
【０００９】
本発明の電気光学装置は、１または複数の走査線と、複数のデータ線と、前記各走査線と前記各データ線との交差部に対応してそれぞれ配設された電気光学素子と、１本の前記データ線を介して対応する前記電気光学素子にデータ電流を供給するデータ電流供給回路を複数個有したデータ電流供給用ＩＣと、を備えた電気光学装置において、前記データ電流供給用ＩＣは、複数個設けられ、前記各データ電流供給用ＩＣは、各データ電流供給回路に前記データ電流の基準値を与える基準電圧を入力する入力端子を備え、前記データ電流供給用ＩＣの入力端子は他のデータ電流供給用ＩＣの入力端子に電気的に接続されている。
【００１０】
これによれば、各データ電流供給用ＩＣの基準値の電位は全て等しくなる。従って、各データ電流供給用ＩＣから出力されるデータ電流がデータ電流供給用ＩＣ毎にばらつくことはない。この結果、表示品位の優れた画像を表示させることが可能となる。
【００１１】
この電気光学装置において、前記複数のデータ電流供給用ＩＣは、それぞれが異なったフレキシブルプリント回路基板上に実装されていてもよい。
これによれば、各フレキシブルプリント回路基板上に形成されるデータ線の配線抵抗は、一般に高いため、データ電流供給用ＩＣの基準電位が上がりやすい。この場合においても、互いの入力端子を電気的に接続することで各データ電流供給用ＩＣの基準電位が同電位になるため、各フレキシブルプリント回路基板間でのデータ電流のばらつきを抑制することができる。
【００１２】
この電気光学装置において、フレキシブルプリント回路基板は、複数の配線端子を備え、前記各入力端子は、前記配線端子に接続され、前記データ電流供給用ＩＣの入力端子に接続された前記配線端子と、他の前記データ電流供給用ＩＣの入力端子に接続された前記配線端子とは、リード線によって電気的に接続されていてもよい。
【００１３】
これによれば、フレキシブルプリント回路基板上に予め形成された配線端子を他のフレキシブルプリント回路基板上に予め形成された配線端子に配線によって電気的に接続する。このようにすることで、簡単な構成で各データ電流供給用ＩＣの基準値の電位のばらつきをなくすことができる。
【００１４】
この電気光学装置において、前記フレキシブルプリント回路基板上には、複数のコネクタを備え、前記各入力端子は、前記コネクタに接続され、前記データ電流供給用ＩＣの入力端子に接続されたコネクタと、他の前記データ電流供給用ＩＣの入力端子に接続されたコネクタとは、フレキシブルフラットケーブルによって電気的に接続されていてもよい。
【００１５】
これによれば、フレキシブルプリント回路基板上に予め形成された配線端子を他のフレキシブル基板上に予め形成された配線端子にコネクタによって互いに電気的に接続する。このようにすることで、簡単な構成で各データ電流供給用ＩＣの基準値の電位のばらつきをなくすことができる。
【００１６】
この電気光学装置において、前記フレキシブルプリント回路基板上には、複数のコネクタを備え、前記各入力端子は、前記コネクタに接続され、前記データ電流供給用ＩＣの入力端子に接続されたコネクタと、他の前記データ電流供給用ＩＣの入力端子に接続されたコネクタとは、前記コネクタに接続される接続端子を備えた中継基板を介して互いに電気
的に接続されていてもよい。
【００１７】
これによれば、フレキシブルプリント回路基板上に予め形成された配線端子を基板上に形成されたコネクタを介して互いに電気的に接続する。このようにすることで、簡単な構成で各データ電流供給用ＩＣの基準電位のばらつきをなくすことができる。
【００１８】
この電気光学装置において、前記データ電流供給回路は、複数のトランジスタを備えたデジタル・アナログ変換回路であり、前記データ電流は、前記各トランジスタから出力される電流が重畳されることによって生成され、前記入力端子は、前記各トランジスタのゲート端子に入力され前記各トランジスタから出力される電流値の基準値を与える基準電圧を入力するための基準電圧入力端子であってもよい。
【００１９】
これによれば、データ電流供給回路は、デジタル・アナログ変換回路であり、所定のデータ電流供給用ＩＣのデジタル・アナログ変換回路の電流基準電圧と他のデータ電流供給用ＩＣのデジタル・アナログ変換回路の基準電圧とは一致する。従って、各データ電流供給用ＩＣから出力されるデータ電流がデータ電流供給用ＩＣ毎にばらつくことはない。
【００２０】
この電気光学装置において、前記データ電流供給回路は、複数のトランジスタを備えたデジタル・アナログ変換回路を備え、前記データ電流は、前記各トランジスタから出力される電流が重畳されることで生成され、前記入力端子は、前記各トランジスタの接地電圧を入力するための接地電圧入力端子であってもよい。
【００２１】
これによれば、データ電流供給用ＩＣは、デジタル・アナログ変換回路を備えており、所定のデータ電流供給用ＩＣのデジタル・アナログ変換回路の接地電位と他のデータ電流供給用ＩＣのデジタル・アナログ変換回路の接地電位とは一致する。従って、各データ電流供給用ＩＣから出力されるデータ電流がデータ電流供給用ＩＣ毎にばらつくことはない。
【００２２】
この電気光学装置において、前記電気光学素子はエレクトロルミネッセンス素子であってもよい。
これによれば、エレクトロルミネッセンス素子の、対応するデータ電流供給用ＩＣ毎の発光輝度のバラツキを抑制することが可能となる。
【００２３】
この電気光学装置において、前記エレクトロルミネッセンス素子は、発光層が有機材料で構成されていてもよい。
これによれば、発光層が有機材料で構成された所謂有機エレクトロルミネッセンス素子の、対応するデータ電流供給用ＩＣ毎の発光輝度のバラツキを抑制することが可能となる。
【００２４】
本発明の電子機器は、上記電気光学装置を実装している。
これによれば、複数のデータ電流供給用ＩＣを備えてなる例えば大型テレビといった電子機器において、各データ電流供給用ＩＣの各基準値がばらつかないので、データ電流供給用ＩＣ毎の各基準値のバラツキによる輝度のムラがない優れた表示品位を有する電子機器を提供することができる。
【発明を実施するための最良の形態】
【００２５】
（第１実施形態）
以下、本発明の電気光学装置を有機エレクトロルミネッセンスディスプレイ（以下、「有機ＥＬディスプレイ」という）に具体化した第１実施形態について説明する。
【００２６】
図１は、本発明の有機ＥＬディスプレイの上面図であり、図２は画素の内部回路構成図である。
図１に示すように、有機ＥＬディスプレイ１は、表示パネル基板２と、該表示パネル基板２の下側（図１中Ｙ矢印方向）に接続された４個のフレキシブルプリント回路基板（以下、「ＦＰＣ基板という」）３a〜３dを備えている。
【００２７】
表示パネル基板２は、その略中央部に表示領域Ｒを、また、表示領域Ｒを囲む外周部に非表示領域Ｑを備えている。
表示領域Ｒには、行方向（図１中Ｘ矢印方向）にｎ本の走査線ＬＹが延設される一方、各走査線ＬＹに対して交差するように列方向（図１中Ｙ矢印方向）にｍ本のデータ線ＬＸが延設されている。そして、ｎ本の走査線ＬＹには、２値（Ｈレベル、Ｌレベル）の電圧信号である走査信号ＳＣ1〜ＳＣn（図４参照）が供給され、ｍ本のデータ線ＬＸには、データ電流ＩＤ（図４参照）が供給される。
【００２８】
また、表示領域Ｒ上には、図２に示すように、各走査線ＬＹに平行に駆動電圧Ｖddを供給するｎ本の電源供給線ＬＺが延設されている。また、表示領域Ｒ上には、各走査線ＬＹと各データ線ＬＸとの交差部に対応して画素４が配置されている。つまり、表示領域Ｒ上には、マトリクス状にｎ×ｍ個の画素４が配置されている。
【００２９】
各画素４は、公知の回路であって、例えば、図２に示すように、第１及び第２スイッチングトランジスタＴsw1，Ｔsw2、電流用トランジスタＴc、駆動トランジスタＴd、保持キャパシタＣo及び有機ＥＬ素子４aを備えている。第１スイッチングトランジスタＴsw1及
び第２スイッチングトランジスタＴsw2は、それぞれ、その導電型がｎ型の薄膜トランジ
スタ（ＴＦＴ）である。また、電流用トランジスタＴc及び駆動トランジスタＴdは、それぞれ、その導電型がｐ型の薄膜トランジスタ（ＴＦＴ）である。有機ＥＬ素子４aは、発
光層が有機材料で構成されたエレクトロルミネッセンス素子である。
【００３０】
図２に示すように、駆動トランジスタＴdのドレイン端子は、有機ＥＬ素子４aの陽極に接続され、有機ＥＬ素子４aの陰極は共通電位Ｖgに接続されている。駆動トランジスタＴdのソース端子は電源供給線ＬＺに接続され、駆動電圧Ｖddが供給されている。駆動トラ
ンジスタＴdのゲート端子は、電流用トランジスタＴcのゲート端子に接続されている。また、駆動トランジスタＴdのゲート端子／ソース端子には、保持キャパシタＣoが接続されている。
【００３１】
電流用トランジスタＴcのソース端子は電源供給線ＬＺに接続され、駆動電圧Ｖddが供
給されている。電流用トランジスタＴcのドレイン端子は、第１スイッチングトランジス
タＴsw1のドレイン端子に接続され、第１スイッチングトランジスタＴsw1のソース端子はデータ線ＬＸに接続されている。第１スイッチングトランジスタＴsw1のゲート端子は所
定の一本の走査線ＬＹに接続されている。
【００３２】
また、電流用トランジスタＴｃのゲート端子／ドレイン端子には、第２スイッチングトランジスタＴsw2のドレイン端子／ソース端子が接続され、その第２スイッチングトラン
ジスタＴsw 2のゲート端子は前記走査線ＬＹに接続されている。従って、Ｈレベルの走査信号（例えば、走査信号ＳＣ1）が供給されると、第１及び第２スイッチングトランジス
タＴsw1，Ｔsw2がともにオンになり、電流用トランジスタＴcがダイオード接続される。
そして、Ｈレベルの走査信号（例えば、Ｈレベルの走査信号ＳＣ1）が出力されている期
間（選択期間ｔo）中に、データ線ＬＸを介してデータ電流ＩＤが供給されると、画素４
にデータ電流ＩＤが供給され、データ電流ＩＤに応じた電荷が保持キャパシタＣｏに供給される。そして、Ｌレベルの走査信号（例えば、Ｌレベルの走査信号ＳＣ1）が供給され
（選択期間ｔo終了後）、第１及び第２スイッチングトランジスタＴsw1，Ｔsw2がともに
オフになっても、駆動トランジスタＱｄのソース端子／ドレイン端子に保持キャパシタＣｏに蓄積された電荷量に応じた駆動電流Ｉdoが流れる。そして、有機ＥＬ素子４aが駆動
電流Ｉdoに応じた輝度で発光する。つまり、有機ＥＬ素子４aはデータ電流ＩＤに応じた
輝度で発光する。
【００３３】
一方、図１に示すように、非表示領域Ｑには、表示領域Ｒを挟むようにして一対の走査線駆動回路５が形成されている。一対の走査線駆動回路５は、前記各走査線ＬＹに接続されている。各走査線駆動回路５は、図示しない外部回路から出力される制御信号を入力するようになっている。一対の走査線駆動回路５は、図示しないシフトレジスタ、出力回路等を主体に構成されており、各走査線ＬＹに対して前記制御信号の基づいたタイミングで走査信号ＳＣ1〜ＳＣnを所定の順序で出力するようになっている。
【００３４】
各第１〜第４ＦＰＣ基板３a〜３dは、本実施形態においては、予め複数の半田実装用ランド６a〜６dがそれぞれ設けられた回路基板である。各第１〜第４ＦＰＣ基板３a〜３d上には、表示領域Ｒ上に延設されたデータ線ＬＸが配線されている。即ち、第１ＦＰＣ基板３a上には同第１ＦＰＣ基板３ａに対向する表示領域Ｒ２上に配線された複数のデータ線
ＬＸが、また、第２ＦＰＣ基板３b上には同第２ＦＰＣ基板３bに対向する表示領域Ｒ上に配線された複数のデータ線ＬＸが、それぞれ非表示領域Ｑを介して延設されている。同様に、第３ＦＰＣ基板３c上には同第３ＦＰＣ基板３ｃに対向する表示領域Ｒ上に配線され
た複数のデータ線ＬＸが、また、第４ＦＰＣ基板３d上には同第４ＦＰＣ基板３dに対向する表示領域Ｒ上に配線された複数のデータ線ＬＸが、それぞれ非表示領域Ｑを介して延設されている。
【００３５】
また、各ＦＰＣ基板３a〜３d上には、対応する前記複数のデータ線ＬＸと接続するデータ電流供給用ＩＣ７a〜７dが実装されている。第１データ電流供給用ＩＣ７aは、第１Ｆ
ＰＣ基板３aに対向する表示領域Ｒ上に配線した複数のデータ線ＬＸに接続された画素４
群の各有機ＥＬ素子４a（図２参照）をそれぞれ所定の輝度で発光させるためのデータ電
流ＩＤを出力する駆動回路である。第２データ電流供給用ＩＣ７ｂは、第２ＦＰＣ基板３bに対向する表示領域Ｒ上に配線した複数のデータ線ＬＸに接続された画素４群の各有機
ＥＬ素子４a（図２参照）をそれぞれ所定の輝度で発光させるためのデータ電流ＩＤを出
力する駆動回路である。
【００３６】
第３データ電流供給用ＩＣ７ｃは、第３ＦＰＣ基板３cに対向する表示領域Ｒ上に配線
した複数のデータ線ＬＸに接続された画素４群の各有機ＥＬ素子４a（図２参照）をそれ
ぞれ所定の輝度で発光させるためのデータ電流ＩＤを出力する駆動回路である。第４データ電流供給用ＩＣ７ｄは、第４ＦＰＣ基板３dに対向する表示領域Ｒ上に配線した複数の
データ線ＬＸに接続された画素４群の各有機ＥＬ素子４a（図２参照）をそれぞれ所定の
輝度で発光させるためのデータ電流ＩＤを出力する駆動回路である。そして、各データ電流供給用ＩＣ７a〜７dは、図示しない前記外部回路からの前記制御信号に基づいてデータ電流ＩＤを出力する。
【００３７】
具体的には、各データ電流供給用ＩＣ７a〜７dは、その内部に制御回路（図示略）とデジタル・アナログ変換回路８とを備えている。制御回路は、図示しない外部回路から供給される画像データＤを各データ電流供給用ＩＣ７a〜７dの下側に設けられた第５外部入力端子Ｐ5の一部を介して入力し、その入力された画像データＤを記憶する回路である。
【００３８】
デジタル・アナログ変換回路８は、図３に示すような、各データ線ＬＸの数だけ備えられている。デジタル・アナログ変換回路８は、公知の電流出力型デジタル・アナログ型変換回路であって、６ビットの電流出力型デジタル・アナログ型変換回路である。
【００３９】
デジタル・アナログ変換回路８は、第１〜第６電流供給用トランジスタＱd1〜Ｑd6、第１〜第６スイッチング用トランジスタＱs1〜Ｑs6を備えている。第１〜第６電流供給用トランジスタＱd1〜Ｑd6は、その利得係数がそれぞれ異なっており、その利得係数β1〜β6の相対比は、１：２：４：８：１６：３２となるように設定されている。
【００４０】
そして、第１〜第６電流供給用トランジスタＱd1〜Ｑd6のドレイン端子は、それぞれ対応する第１〜第６スイッチング用トランジスタＱs1〜Ｑs6のソース端子に接続されている。各電流供給用トランジスタＱd1〜Ｑd6のゲート端子は、第１供給線Ｌ１に接続されている。第１供給線Ｌ1は、この第１データ電流供給用ＩＣ７a内に形成された他のデジタル・アナログ変換回路８に渡って引き回されるようにして配線されており、他のデジタル・アナログ変換回路８の各電流供給用トランジスタＱd1〜Ｑd6のゲート端子に接続されている。
【００４１】
そして、第１供給線Ｌ1は、データ電流供給用ＩＣ７aの第１外部入力端子Ｐ1及び第４
外部入力端子Ｐ4（図１参照）に接続され、後記する第１基準電圧Ｖref1が供給されてい
る。従って、第１データ電流供給用ＩＣ７aに形成された全てのデジタル・アナログ変換
回路８の各電流供給用トランジスタＱd1〜Ｑd6には第１基準電圧Ｖref1が供給されている。
【００４２】
また、各電流供給用トランジスタＱd1〜Ｑd6のソース端子は第２供給線Ｌ２に接続されている。
この第２供給線Ｌ2は、第１データ電流供給用ＩＣ７a内に形成された他のデジタル・アナログ変換回路８に渡って引き回されるようにして配線されており、他のデジタル・アナログ変換回路８の各電流供給用トランジスタのソース端子に接続されている。そして、第２供給線Ｌ2は、第１データ電流供給用ＩＣ７aの第２外部入力端子Ｐ2、第３外部入力端
子Ｐ3及び第５外部入力端子Ｐ5の一部（図１参照）に接続され、後記する接地電位Ｅgが
入力されている。
【００４３】
従って、第１〜第６電流供給用トランジスタＱd1〜Ｑd6のゲート端子には第１基準電圧Ｖref1が供給され、ソース端子には接地電位Ｅｇが供給されている。
一方、第１〜第６スイッチング用トランジスタＱs1〜Ｑs6のドレイン端子は、対応する一本のデータ線ＬＸに接続されている。また、第１〜第６スイッチング用トランジスタＱｓ１〜Ｑs6のゲート端子Ｇ1〜Ｇ6は、前記制御回路（図示せず）にて記憶された６ビットの画像データＤの対応するビットデータをそれぞれ入力するようになっている。
【００４４】
そして、前記制御回路より画像データＤが入力されると、その値に応じて各スイッチング用トランジスタＱs1〜Ｑs6がオン・オフ制御され、オンされたスイッチング用トランジスタに接続された電流供給用トランジスタＱｄ1〜Ｑｄ6を流れる電流Ｉa〜Ｉfが重畳される。この電流Ｉa〜Ｉfは、以下の関係が成立する電流であり、第１〜第６電流供給用トランジスタＱd1〜Ｑd6のゲート端子に供給されるＶref1とソース端子に供給される接地電位Ｅｇとの電位差により、絶対値が決定される。
【００４５】
３２Ｉa＝１６Ｉb＝８Ｉc＝４Ｉd＝２Ｉe＝Ｉf
そして、各電流Ｉa〜Ｉfが重畳されることで画像データＤに対応した大きさを有するアナログ電流であるデータ電流ＩＤが生成され、前記制御信号に基づいて前記選択期間ｔo
に同期してデータ線ＬＸに出力する。
【００４６】
尚、第２〜第４ＦＰＣ基板３b〜３d上に実装されたデータ電流供給用ＩＣ７b〜７dについても同様であり、その内部に複数のデジタル・アナログ変換回路８を備え、入力された画像データＤ2〜Ｄ4に基づいて対応する複数のデータ線ＬＸに接続された各画素４群への
データ電流ＩＤを選択期間ｔoと同期して対応するデータ線ＬＸに一斉に出力する。
【００４７】
また、図１に示すように、各データ電流供給用ＩＣ７a〜７dは、前記したように、複数の各種外部入力端子Ｐ1〜Ｐ5を備えている。各第１及び第４外部入力端子Ｐ1，Ｐ4は、各データ電流ＩＤの基準値となる基準電圧Ｖref1〜Ｖref4をそれぞれ入力する基準電圧入力端子である。そして、各第１外部入力端子Ｐ1は、実装されるそれぞれのＦＰＣ基板３a〜３d上の第１半田実装用ランド６aに、また、各第４外部入力端子は第４半田実装用ランド６dに、それぞれ第１配線Ｓaを介して電気的に接続されている。
【００４８】
第１データ電流供給用ＩＣ７aの第１及び第４外部入力端子Ｐ1，Ｐ4には同第１データ
電流供給用ＩＣ７ａから出力されるデータ電流ＩＤの基準値となる第１基準電圧Ｖref1が各第１半田実装用ランド６a及び第１配線Ｓaを介して入力されるようになっている。また、第２データ電流供給用ＩＣ７bの第１及び第４外部入力端子Ｐ1，Ｐ4には同第２データ
電流供給用ＩＣ７bから出力されるデータ電流ＩＤの基準値となる第２基準電圧Ｖref2が
各第１半田実装用ランド６a及び第１配線Ｓaを介して入力されるようになっている。
【００４９】
同様に、第３データ電流供給用ＩＣ７ｃの第１及び第４外部入力端子Ｐ1，Ｐ4には同第３データ電流供給用ＩＣ７cから出力されるデータ電流ＩＤの基準値となる第３基準電圧
Ｖref3が、各第１半田実装用ランド６a及び第１配線Ｓaを介して入力されるようになっている。また、第４データ電流供給用ＩＣ７dの第１及び第４外部入力端子Ｐ1，Ｐ4に同第
４データ電流供給用ＩＣ７dから出力されるデータ電流ＩＤの基準値となる第４基準電圧
Ｖref4が、各第１半田実装用ランド６a及び第１配線Ｓaを介して入力されるようになっている。
【００５０】
この各基準電圧Ｖref1〜Ｖref4は、図示しない外部電源回路から供給されるようになっており、本実施形態においては、ＦＰＣ基板３a〜３d毎にそれぞれ独立して入力されるようになっている。また、本実施形態においては、各基準電圧Ｖref1〜Ｖref4は第１〜第６電流供給用トランジスタＱd1〜Ｑd6のゲート端子に入力されるだけなので、定常的に電流が流れず、FPC基板上の配線での電力消費による電位変動は無視できる。
【００５１】
第２及び第３外部入力端子Ｐ2，Ｐ3は、それぞれ各データ電流ＩＤの基準値となる接地電位を入力する接地電圧入力端子であって、第２外部入力端子Ｐ2は第２半田実装用ラン
ド６ｂに、第３外部入力端子Ｐ3は第３半田実装用ランド６cに、それぞれ第２配線Ｓｂを介して電気的に接続されている。
【００５２】
本実施形態においては、各第１〜第３ＦＰＣ基板３a〜３ｃ上に形成された第３半田実
装用ランド６cは、隣接するＦＰＣ基板上の第２半田実装用ランド６ｂとリード線９を介
して電気的に接続されている。そして、第１ＦＰＣ基板３a上に形成された第２半田実装
用ランド６bと第４ＦＰＣ基板３d上に形成された第３半田実装用ランド６cに接地電位Ｅgを入力するようにした。これにより、ＦＰＣ基板３a〜３ｄ上の配線で電力が消費され接
地電位が変動しても、各データ電流供給用ＩＣ７a〜７dの接地電位は全て等しくなる。
【００５３】
第５外部入力端子Ｐ5は、表示領域Ｒ上の領域に表示される画像の画像データＤ、電源
及び接地電位Ｅgを入力するための入力端子である。
以上のようにすることで、各第１〜第４ＦＰＣ基板３a〜３d上のデータ電流供給用ＩＣ７a〜７dの接地電位は全て接地電位Ｅgとなり一致するので、各データ電流供給用ＩＣ７a〜７d内の全てのデジタル・アナログ変換回路８はそれぞれ共通の接地電位Ｅgを基準値としたデータ電流ＩＤを出力する。従って、例えば、何れか一つのデータ電流供給用ＩＣ７a〜７dに大きな値の画像データＤが入力されるとそのデータ電流供給用ＩＣから出力されるデータ電流ＩＤが他のデータ電流供給用ＩＣから出力されるデータ電流ＩＤよりも大き
くなるが、その大きなデータ電流ＩＤを出力したデータ電流供給用ＩＣの接地電位のみが他のデータ電流供給回路の接地電位より高くなることは生じない。また、各基準電圧Ｖref1〜Ｖref4には電流が流れないのでデータ電流供給用ＩＣ７a〜７dごとに電位が異なることはない。この結果、データ電流供給用ＩＣ７a〜７d間で接地電位と各基準電圧Ｖref1〜Ｖref4間の電位差は均一となり、データ電流ＩＤのばらつきが抑制されるので、表示品位の優れた画像が表示可能となる。
【００５４】
前記実施形態によれば、以下のような特徴を得ることができる。
（１）  本実施形態では、各第１〜第４データ電流供給用ＩＣ７a〜７dから出力されるデータ電流ＩＤの基準値を与える接地電位Ｅgを入力する第２外部入力端子Ｐ2を各第１〜第４ＦＰＣ基板３a〜３d上に形成された第２半田実装用ランド６bに、また、第３外部入力
端子Ｐ3を第３半田実装用ランド６cにそれぞれ第２配線Ｓｂを介して接続した。そして、各第１〜第３ＦＰＣ基板３a〜３ｃ上に形成された第３半田実装用ランド６cを、隣接するＦＰＣ基板上の第２半田実装用ランド６ｂとリード線９を介して電気的に接続した。さらに、第１ＦＰＣ基板３a上に形成された第２半田実装用ランド６ｂ及び第４ＦＰＣ基板３d上に形成された第３半田実装用ランド６cには、接地電位Ｅgを入力するようにした。従って、各第１〜第４ＦＰＣ基板３a〜３d上のデータ電流供給用ＩＣ７a〜７dの各接地電位は一致するので全てのデジタル・アナログ変換回路８はそれぞれ共通の接地電位を基準値としたデータ電流ＩＤを出力する。この結果、各データ電流供給用ＩＣ７a〜７d毎にその接地電位が変動することはないので、均一な表示を確実に行うことができる。
（２）  本実施形態では、各第１〜第４ＦＰＣ基板３a〜３d上に予め形成された第２及び第３半田実装用ランド６b，６cのうち、第１〜第３ＦＰＣ基板３a〜３ｃ上に形成された
第３半田実装用ランド６cを、隣接するＦＰＣ基板上の第２半田実装用ランド６ｂとリー
ド線９を介して電気的に接続した。さらに、第１ＦＰＣ基板３a上に予め形成された第２
半田実装用ランド６b及び第４ＦＰＣ基板３d上に形成された第３半田実装用ランド６cに
は、接地電位Ｅgを入力するようにした。従って、特別な部材を新たに設計等するといっ
たことをせずに、公知のものを使って第２配線Ｓｂを接続するようにしたので、簡単な構成で接地電位の変動を抑制することができる。
（３）  本実施形態においては、各データ電流供給用ＩＣ７a〜７d毎にその接地電位が変動することはないので、均一な表示が可能とする大型の有機ＥＬディスプレイ１を提供することができる。
【００５５】
尚、特許請求の範囲に記載の入力端子は、例えば、本実施形態においては第２外部入力端子Ｐ2または第３外部入力端子Ｐ3に対応している。特許請求の範囲に記載のエレクトロルミネッセンス素子は、例えば、本実施形態においては有機ＥＬ素子４aに対応している
。特許請求の範囲に記載のトランジスタは、例えば、本実施形態においては第１〜第６電流供給用トランジスタＱd1〜Ｑd6に対応している。特許請求の範囲に記載の電気光学装置は、例えば、本実施形態においては有機エレクトロルミネッセンスディスプレイ１に対応している。
【００５６】
特許請求の範囲に記載の配線端子は、例えば、本実施形態においては第２半田実装用ランド６bまたは第３半田実装用ランド６cに対応している。特許請求の範囲に記載のデータ電流供給回路は、例えば、本実施形態においてはデジタル・アナログ変換回路８に対応している。
（第２実施形態）
次に、本発明を具体化した第２実施形態を図５に従って説明する。この第２実施形態においては、上記第１実施形態のＦＰＣ基板の構成が異なっている他は上記有機ＥＬディスプレイ１と同じ構成である。従って、有機ＥＬディスプレイ１と同じ構成部材については符号を等しくし、その詳細な説明を省略する。
【００５７】
図５に示すように、本実施形態の各ＦＰＣ基板１０a〜１０d上には、データ線ＬＸ及びデータ電流供給用ＩＣ７a〜７dの他に、一対のコネクタ１１を実装している。コネクタ１１は、データ電流供給用ＩＣ７a〜７d内に形成された第２供給線Ｌ２の他に、各デジタル・アナログ変換回路８の第１〜第４基準電圧Ｖref1〜Ｖref4を供給する第１供給線Ｌ1（
図３参照）が引き回されて接続している。そして、所定のＦＰＣ基板１０ａ〜１０ｄのコネクタ１１と、隣接する他のフレキシブルプリント回路基板のコネクタ１１とがフレキシブルフラットケーブル１２を介して接続することで、各データ電流供給用ＩＣ７a〜７dの第２供給線Ｌ２同士が、また、各データ電流供給用ＩＣ７a〜７dの第１供給線Ｌ1同士が
それぞれ電気的に接続されている。
【００５８】
このようにすることで、本実施形態では、第１〜第４ＦＰＣ基板１０a〜１０d上に実装された全てのデータ電流供給用ＩＣ７a〜７dのデジタル・アナログ変換回路８の接地電位を一致させることができることに加えて、第１〜第４基準電圧Ｖref1〜Ｖref4を全てのデータ電流供給用ＩＣ７a〜７dで一致させることができる。従って、第１〜第４基準電圧Ｖref1〜Ｖref4のデータ電流供給用ＩＣ７a〜７d毎のバラツキを確実に抑制することが可能となる。この結果、上記第１実施形態の効果に加えて、確実に均一な表示を行うことができる。
（第３実施形態）
次に、第１及び第２実施形態で説明した電気光学装置としての有機ＥＬディスプレイ１の電子機器の適用について図６に従って説明する。有機ＥＬディスプレイ１は、モバイル型のパーソナルコンピュータ、携帯電話、デジタルカメラ等種々の電子機器に適用できる。
【００５９】
図６は、大型テレビ２０の斜視図である。この大型テレビ２０は、有機ＥＬディスプレイ１を搭載した大型テレビ用の表示ユニット２１と、スピーカー２２と、複数の操作ボタン２３とを備えている。この場合でも、有機ＥＬディスプレイ１を用いた表示ユニット２１は、輝度ムラの無い優れた画像表示ができる大型テレビを提供できる。
【００６０】
尚、発明の実施形態は、上記実施形態に限定されるものではなく、以下のように実施してもよい。
（１）上記第１及び第２実施形態では、ｎ型のトランジスタにより電流供給用トランジスタを形成したが、ｐ型のトランジスタにより電流供給用のトランジスタを形成してもよい。この場合、接地電位ではなくｐ型のトランジスタのソース端子に供給される電源が入力する端子を互いに隣接するＦＰＣ基板上の半田実装用ランド同士をリード線等を介して電気的に接続することで、上記第１及び第２実施形態と同様の効果を得ることができる。
（２）上記第１及び第２実施形態では、基準電圧Ｖref1〜Ｖref4と接地電位を電流供給用のトランジスタのゲート端子及びソース端子に直接供給し、データ電流ＩＤを生成した。これを、基準電流生成用のトランジスタを設け、基準電流生成用のトランジスタのゲートとソースに基準電圧および電源を入力して生成された基準電流をミラーリングし、データ電流ＩＤとして出力してもよい。基準電流生成用のトランジスタのソース端子に供給される電源が入力する端子を互いに隣接するＦＰＣ基板上の半田実装用ランド同士をリード線等を介して電気的に接続することで、上記第１及び第２実施形態と同様の効果を得ることができる。
（３）上記第１及び第２実施形態では、データ電流供給用ＩＣ７a〜７dは、それぞれ異なったＦＰＣ基板３a〜３d上に実装されていたが、そうではなく、１枚のＦＰＣ基板上に実装されていてもよい。要は、各データ電流供給用ＩＣ７a〜７dの少なくとも第１外部入力端子Ｐ1または第２外部入力端子Ｐ2のいずれか一方が電気的に接続されていればよい。
（４）上記第１実施形態では、互いに隣接するＦＰＣ基板３a〜３d上の第２半田実装用ランド６ｂ同士をリード線９を介して電気的に接続した。これが、図７（ａ）に示すように略長方形状を成した半田実装用ランド３１を実装したＦＰＣ基板３a〜３dにおいては、互
いに隣接するＦＰＣ基板３a〜３d上の半田実装用ランド３１同士をフレキシブルフラットケーブル３２によって接続するようにしてもよい。このとき、半田実装用ランド３１は、上記第１実施形態の第１配線Ｓa及び第２配線Ｓbを兼ね備えた半田実装用ランドであってもよい。
【００６１】
また、図７（ｂ）に示すように、第２半田実装用ランド６ｂをＦＰＣ基板３a〜３dの表面及び裏面に渡って設け、その隣接する第２半田実装用ランド６ｂ同士を裏表方向に重ね合わせて、異方性導電膜(ＡＣＦ)による圧着や半田付けによって接合させ、導通するようにしてもよい。
（５）上記第２実施形態では、各ＦＰＣ基板３a〜３d上にコネクタ１１を設け、そのコネクタ１１同士をフレキシブルフラットケーブル１２によって接続するようにした。これを、図８（ａ）に示すように、各ＦＰＣ基板３a〜３d上に設けられたコネクタ１１同士と接続可能な形状を成した接続端子３３を備えた中継基板３４によって各第１配線Ｓa同士、
及び各第２配線Ｓb同士をそれぞれ接続するようにしてもよい。
【００６２】
また、図８（ｂ）に示すように、各ＦＰＣ基板３a〜３d上に隣接する他のＦＰＣ基板上のコネクタと接続可能な形状を成したコネクタ１１ｂを設け、そのコネクタ１１b同士を
直接接続することで、各第１配線Ｓa同士、及び各第２配線Ｓｂ同士をそれぞれ接続する
ようにしてもよい。このようにすることでも、上記第２実施形態と同様の効果を得ることができる。
（６）上記各実施形態では、電気光学素子として有機ＥＬ素子４aに適応したが、これに
限定されるものではなく、たとえば、発光ダイオードであっても上記各実施形態と同様な効果が得られる。
（７）上記実施形態では、有機ＥＬ素子４aを備えた有機ＥＬディスプレイに具体化して
好適な効果を得たが、有機ＥＬディスプレイ以外の例えばデジタルマイクロミラーデバイス（ＤＭＤ）を用いたディスプレイ、電子放出素子を用いたディスプレイ（ＦＥＤ）やＳＥＤ（Ｓｕｒｆａｃｅ−Ｃｏｎｄｕｃｔｉｏｎ  Ｅｌｅｃｔｒｏｎ−Ｅｍｉｔｔｅｒ  Ｄｉｓｐｌａｙ）に具体化してもよい。また。電子写真装置の光ヘッド（光プリンタのヘッドやデジタルラボのヘッド）に使用してもよい。
【図面の簡単な説明】
【００６３】
【図１】有機ＥＬディスプレイの平面図である。
【図２】画素回路の一例を説明するための図である。
【図３】デジタル・アナログ変換回路の一例を説明するための図である。
【図４】画素回路の動作を説明するためのタイミングチャートである。
【図５】第２実施形態の有機ＥＬディスプレイの平面図である。
【図６】第３実施形態に係る電子機器としての大型テレビの斜視図である。
【図７】（ａ），（ｂ）は、それぞれ別例を説明するための図である。
【図８】（ａ），（ｂ）は、それぞれ別例を説明するための図である。
【符号の説明】
【００６４】
Ｅg…基準電圧としての接地電位、Ｉa〜Ｉf…電流、ＩＤ…データ電流、Ｉdo…駆動電
流、Ｐ1…入力端子としての接地電圧入力端子または第１入力端子、Ｐ2…入力端子としての基準電圧入力端子または第２入力端子、ＬＹ…走査線、ＬＸ…データ線、４a…エレク
トロルミネッセンス素子としての有機ＥＬ素子、Ｑd1〜Ｑd6…トランジスタとしての第１〜第６電流供給用トランジスタ、Ｖref1〜Ｖref4…基準電圧としての第１〜第４基準電圧、１…電気光学装置としての有機エレクトロルミネッセンスディスプレイ、３a〜３d…第１〜第４フレキシブルプリント回路基板、７a〜７d…第１〜第４データ電流供給用ＩＣ、８…データ電流供給回路としてのデジタル・アナログ変換回路、９…配線端子としての第１及び第２半田実装用ランド６a，６b、９…リード線、１１…コネクタ、１１a…第１コ
ネクタ、１２…フレキシブルフラットケーブル、２０…電子機器としての大型テレビ、３２…中継基板。
【図１】
2006084503.tif 000003
【図２】
2006084503.tif 000004
【図３】
2006084503.tif 000005
【図４】
2006084503.tif 000006
【図５】
2006084503.tif 000007
【図６】
2006084503.tif 000008
【図７】
2006084503.tif 000009
【図８】
2006084503.tif 000010